(57)【要約】      （修正有）【課題】緩衝性に優れる箱用シートを提供する。【解決手段】略方形状の底面パネル１と、底面パネル１の対向する一対の第１側縁１ａから延出する一対の第１側面パネル２と、底面パネル１の対向する一対の第２側縁１ｂから延出する一対の第２側面パネル３と、一対の第１側面パネル２の左右一対の側縁から延出し、一対の第２側面パネル３の内面側に折り重ねられる４つの折込み片４とを備え、底面パネル１が、一対の第１側縁１ａと平行、かつ一対の第２側縁１ｂの中心間を通る仮想直線を基準として左右対称に配される一対の谷折り線１１を有し、底面パネル１及び一対の第２側面パネル３の境界に、一対の第１側縁１ａから第１側縁１ａに隣接する谷折り線１１に至る４つの切込み１２が形成され、底面パネル１の一対の第２側縁１ｂの中央部に一対の第２側面パネル３との境界に沿って延びる一対のスリット１３が形成され、４つの折込み片４の下縁に、スリット１３に挿入される係合突起４ａ，８ａが形成される。【選択図】図１
0003216071.tif 000002
【実用新案登録請求の範囲】
【請求項１】
略方形状の底面パネルと、
上記底面パネルの対向する一対の第１側縁から延出する一対の第１側面パネルと、
上記底面パネルの対向する一対の第２側縁から延出する一対の第２側面パネルと、
上記一対の第１側面パネルの左右一対の側縁から延出し、上記一対の第２側面パネルの内面側に折り重ねられる４つの折込み片と
を備え、
トレイ状に組立可能な箱用シートであって、
上記底面パネルが、上記一対の第１側縁と平行、かつ上記一対の第２側縁の中心間を通る仮想直線を基準として左右対称に配される一対の谷折り線を有し、
上記底面パネル及び一対の第２側面パネルの境界に、上記一対の第１側縁から第１側縁に隣接する谷折り線に至る４つの切込みが形成され、
上記底面パネルの一対の第２側縁の中央部に上記一対の第２側面パネルとの境界に沿って延びる一対のスリットが形成され、
上記４つの折込み片の下縁に、上記スリットに挿入される係合突起が形成される箱用シート。
【請求項２】
上記一対の第１側面パネルの先端縁から延出し、上記一対の第１側面パネルの内面側に折り重ねられる一対の折返しパネルと、
上記一対の第２側面パネルの先端縁から延出する一対のフランジと、
上記一対のフランジの左右一対の側縁から延出する４つの挿入片と
をさらに備え、
上記一対の折返しパネルに、これらの挿入片を挿入可能な係止孔が形成される請求項１に記載の箱用シート。
【請求項３】
上記底面パネルのスリットと谷折り線との間隔をＤ１、谷折り線とこの谷折り線に隣接する第１側縁との間隔をＤ２、上記折込み片の上記第１側面パネルとの境界から係合突起までの左右方向長さをＬとした場合、Ｄ１＜Ｌ＜Ｄ１＋Ｄ２である請求項１又は請求項２に記載の箱用シート。
【請求項４】
１．１０≦Ｄ２／（Ｌ−Ｄ１）≦１．４０である請求項３に記載の箱用シート。
【請求項５】
１．５ｃｍ≦Ｄ２≦３．５ｃｍである請求項４に記載の箱用シート。
【考案の詳細な説明】
【技術分野】
【０００１】
本考案は、箱用シートに関する。
【背景技術】
【０００２】
物品の保管、運搬用ケースとして、略方形状の底板及びこの底板の側辺から立設される４つの側板を備え、段ボールシートから組み立てられるトレイ状の箱体が用いられている（特開平１１−４９１３８号公報参照）。
【先行技術文献】
【特許文献】
【０００３】
【特許文献１】特開平１１−４９１３８号公報
【考案の概要】
【考案が解決しようとする課題】
【０００４】
上記公報に記載の箱体は、物品を底板に載置した状態で保管及び運搬可能に構成されている。しかしながら、この箱体によると、保管、運搬中に底板側から物品に衝撃が加わり、物品が損傷するおそれがある。
【０００５】
本考案は、このような不都合に鑑みてなされたものであり、緩衝性に優れる箱用シートの提供を課題とする。
【課題を解決するための手段】
【０００６】
上記課題を解決するためになされた本考案に係る箱用シートは、略方形状の底面パネルと、上記底面パネルの対向する一対の第１側縁から延出する一対の第１側面パネルと、上記底面パネルの対向する一対の第２側縁から延出する一対の第２側面パネルと、上記一対の第１側面パネルの左右一対の側縁から延出し、上記一対の第２側面パネルの内面側に折り重ねられる４つの折込み片とを備え、トレイ状に組立可能な箱用シートであって、上記底面パネルが、上記一対の第１側縁と平行、かつ上記一対の第２側縁の中心間を通る仮想直線を基準として左右対称に配される一対の谷折り線を有し、上記底面パネル及び一対の第２側面パネルの境界に、上記一対の第１側縁から第１側縁に隣接する谷折り線に至る４つの切込みが形成され、上記底面パネルの一対の第２側縁の中央部に上記一対の第２側面パネルとの境界に沿って延びる一対のスリットが形成され、上記４つの折込み片の下縁に上記スリットに挿入される係合突起が形成される。
【０００７】
当該箱用シートは、底面パネルが、一対の第１側縁と平行、かつ一対の第２側縁の中心間を通る仮想直線を基準として左右対称に配される一対の谷折り線を有しており、上記底面パネル及び一対の第２側面パネルの境界に、一対の第１側縁から第１側縁に隣接する谷折り線に至る４つの切込みが形成されているので、上記底面パネルの一対の谷折り線よりも外側領域を下方に傾斜させることで、上記底面パネルの一対の谷折り線間の領域を底上げすることができる。また、当該箱用シートは、上記底面パネルの一対の第２側縁の中央部に形成される一対のスリットに４つの折込み片に形成される係合突起を挿入することで、これらの係合突起が上記底面パネルの底上げ領域の下方に突出し脚部として機能する。そのため、当該箱用シートは、上記底面パネルの底上げ状態を安定的に維持することができるので、緩衝性に優れる。
【０００８】
上記一対の第１側面パネルの先端縁から延出し、上記一対の第１側面パネルの内面側に折り重ねられる一対の折返しパネルと、上記一対の第２側面パネルの先端縁から延出する一対のフランジと、上記一対のフランジの左右一対の側縁から延出する４つの挿入片とをさらに備え、上記一対の折返しパネルに、これらの挿入片を挿入可能な係止孔が形成されるとよい。このように、上記一対の第１側面パネルの先端縁から延出し、上記一対の第１側面パネルの内面側に折り重ねられる一対の折返しパネルと、上記一対の第２側面パネルの先端縁から延出する一対のフランジと、上記一対のフランジの左右一対の側縁から延出する４つの挿入片とをさらに備え、上記一対の折返しパネルに、これらの挿入片を挿入可能な係止孔が形成されることによって、上記フランジによって上記係合突起の浮き上がりを抑制することができるので、上記底面パネルの底上げ状態を確実に維持することができる。
【０００９】
上記底面パネルのスリットと谷折り線との間隔をＤ１、谷折り線とこの谷折り線に隣接する第１側縁との間隔をＤ２、上記折込み片の上記第１側面パネルとの境界から係合突起までの左右方向長さをＬとした場合、Ｄ１＜Ｌ＜Ｄ１＋Ｄ２であることが好ましい。このように、Ｄ１＜Ｌ＜Ｄ１＋Ｄ２であることによって、上記スリットに係合突起を挿入した状態で、上記係合突起の基端側（係合突起が形成される折込み片の基端側）のエッジを上記スリットの端縁に係合させることができる。これにより、上記第１側面パネルが左右方向に移動することを防止し、上記谷折り線の曲げ状態を維持することができ、上記底面パネルの底上げ状態をより確実に維持することができる。
【００１０】
上記底面パネルのスリットと谷折り線との間隔をＤ１、谷折り線とこの谷折り線に隣接する第１側縁との間隔をＤ２、上記折込み片の上記第１側面パネルとの境界から係合突起までの左右方向長さをＬとした場合、１．１０≦Ｄ２／（Ｌ−Ｄ１）≦１．４０であることが好ましい。このように、Ｄ２／（Ｌ−Ｄ１）が上記範囲内であることによって、上記底面パネルの一対の谷折り線の外側領域の傾斜角度、ひいては上記底面パネルの底上げ高さを適度に保ち、緩衝性を維持しやすい。
【００１１】
上記底面パネルの谷折り線とこの谷折り線に隣接する第１側縁との間隔をＤ２とした場合、１．５ｃｍ≦Ｄ２≦３．５ｃｍであることが好ましい。このように、Ｄ２が上記範囲内であることによって、上記底面パネルの一対の谷折り線の外側領域の突出高さを適度に保ち、緩衝性を維持しやすい。
【００１２】
なお、本考案において、「左右」とは、箱用シートを組み立ててなる箱体の想定される一般的な使用態様における水平方向をいい、「下」とは、想定される一般的な使用態様における下を意味するが、上記箱体の使用時の向きを制限することを企図するものではない。また、「内面」とは、箱用シートを組み立ててなる箱体における内側の面を意味する。「谷折り線」とは、組立状態で内面側に凸に折り曲げられる線をいう。
【考案の効果】
【００１３】
以上説明したように、本考案に係る箱用シートは緩衝性に優れる。
【図面の簡単な説明】
【００１４】
【図１】本考案の一実施形態に係る箱用シートを示す模式的平面図である。
【図２】図１の箱用シートを組み立ててなる箱体を示す模式的斜視図である。
【図３】図２の箱体の第２側面パネル側から見た模式的側面図である。
【図４】図２の箱体の折込み片の係合状態を示す模式的Ａ−Ａ線断面図である。
【考案を実施するための形態】
【００１５】
以下、適宜図面を参照しつつ、本考案の実施の形態を詳説する。
【００１６】
［箱用シート］
図１の箱用シートは、１枚のシートからなり、トレイ状の箱体に組立可能に構成される。当該箱用シートは、略方形状の底面パネル１と、底面パネル１の対向する一対の第１側縁１ａから延出する一対の第１側面パネル２と、底面パネル１の対向する一対の第２側縁１ｂから延出する一対の第２側面パネル３と、一対の第１側面パネル２の左右一対の側縁から延出し、一対の第２側面パネル３の内面側に折り重ねられる４つの折込み片（外側折込み片４）とを備える。また、当該箱用シートは、一対の第１側面パネル２の先端縁から延出し、一対の第１側面パネル２の内面側に折り重ねられる一対の折返しパネル５と、一対の第２側面パネル３の先端縁から延出する一対のフランジ６と、一対のフランジ６の左右一対の側縁から延出する４つの挿入片７と、一対の折返しパネル５の左右一対の側縁から延出し、外側折込み片４の内面側に折り重ねられる４つの内側折込み片８とを備える。なお、図１において、太い実線はシートを切断して形成されるエッジを示し、細い実線はシートの片面に筋押しして形成される罫線を示す。
【００１７】
当該箱用シートに用いられるシートとしては、当該箱用シートを組み立ててなる箱体の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。当該箱用シートは、後述する係合突起４ａ，８ａの座屈強度を高め、底面パネル１の底上げ状態を安定的に保つ観点から、中芯の稜線方向が第２側縁１ｂと平行であることが好ましい。
【００１８】
（底面パネル）
底面パネル１は、例えば一対の第１側縁１ａを長辺とし、かつ一対の第２側縁１ｂを短辺とする矩形状である。第１側縁１ａ及び第２側縁１ｂの長さは、収容する物品の大きさ等に応じて設定可能である。第１側縁１ａの長さの下限としては、例えば２０ｃｍが好ましく、３０ｃｍがより好ましい。第１側縁１ａの長さの上限としては、例えば５０ｃｍが好ましく、４０ｃｍがより好ましい。第２側縁１ｂの長さの下限としては、例えば１０ｃｍが好ましく、１５ｃｍがより好ましい。第２側縁１ｂの長さの上限としては、例えば４０ｃｍが好ましく、３０ｃｍがより好ましい。
【００１９】
底面パネル１は、一対の第１側縁１ａと平行、かつ一対の第２側縁１ｂの中心間を通る仮想直線を基準として左右対称に配される一対の谷折り線１１を有する。谷折り線１１は、一対の第２側縁１ｂに接続されている。底面パネル１及び一対の第２側面パネル３の境界には、一対の第１側縁１ａから第１側縁１ａに隣接する谷折り線１１に至る４つの切込み１２が形成されている。これにより、当該箱用シートは、一対の谷折り線１１を谷折りすることで、底面パネル１の一対の谷折り線１１よりも外側の領域（以下、傾斜領域Ｐともいう）を隣接する第１側面パネル２側に向けて下方に傾斜させることができる。
【００２０】
底面パネル１の一対の第２側縁１ｂの中央部には、一対の第２側面パネル３との境界に沿って延びる一対のスリット１３が形成されている。一対のスリット１３の幅（短手方向長さ）の下限としては、シート厚さの２倍とされ、シート厚さの１．２倍が好ましい。また、一対のスリット１３の幅の上限としては、シート厚さの２．０倍が好ましく、１．６倍がより好ましい。上記幅が上記下限に満たないと、後述する係合突起４ａ，８ａを挿入し難くなるおそれがある。逆に、上記幅が上記上限を超えると、一対のスリット１３への挿入状態で係合突起４ａ，８ａがぐらつくおそれがあり、底面パネル１の底上げ状態を安定的に保持し難くなるおそれがある。
【００２１】
底面パネル１の一対の第２側縁１ｂの中心間を通る仮想直線と谷折り線１１との間隔に対する谷折り線１１とこの谷折り線１１に隣接する第１側縁１ａとの間隔の比の下限としては、０．１０が好ましく、０．１５がより好ましい。一方、上記比の上限としては、０．３０が好ましく、０．２５がより好ましい。上記比が上記下限に満たないと、底面パネル１の底上げ高さが不十分となり、十分な緩衝性が得られないおそれがある。逆に、上記比が上記上限を超えると、底面パネル１の底上げ高さが不必要に高くなるおそれがある。
【００２２】
底面パネル１には、両端が一対の第１側縁１ａ上に位置し、内側に凸なＵ字状の破断容易線１ｃが形成されている。破断容易線１ｃは、一対の第１側縁１ａを基端として内側に凸な突片１ｄを画定する。また、底面パネル１には、破断容易線１ｃの頂部に連続する開口１ｅが形成されている。
【００２３】
（側面パネル）
第１側面パネル２及び第２側面パネル３は、それぞれ略矩形状である。第１側面パネル２の幅は底面パネル１の第１側縁１ａの長さと同じである。また、第２側面パネル３の幅は底面パネル１の第２側縁１ｂの長さと同じである。第１側面パネル２の延出方向長さは、第２側面パネル３の延出方向長さよりも大きい。第１側面パネル２の延出方向長さと第２側面パネル３の延出方向長さの差の下限としては、３ｍｍが好ましく、５ｍｍがより好ましい。一方、上記差の上限としては、２０ｍｍが好ましく、１０ｍｍがより好ましい。第１側面パネル２の延出方向長さと第２側面パネル３の延出方向長さの差は底面パネル１の底上げ高さと一致するため、上記差が上記下限に満たないと、底面パネル１の底上げ高さが不十分となり、十分な緩衝性が得られないおそれがある。逆に、上記差が上記上限を超えると、底面パネル１の底上げ高さが不必要に高くなるおそれがある。
【００２４】
（外側折込み片）
外側折込み片４は略矩形状である。外側折込み片４の下縁には、底面パネル１に形成されるスリット１３に挿入される係合突起４ａが形成されている。外側折込み片４の下縁には、第１側面パネル２との連接部から延出方向先端側に凹部４ｂが形成されている。これにより、外側折込み片４の下縁は、第１側面パネル２との連接部から延出方向先端側に向けて上方に傾斜する傾斜部４ｃ、傾斜部４ｃから延出方向先端側に延びる水平部４ｄ、水平部４ｄから鉛直下方に延びる鉛直部４ｅを有する。当該箱用シートは、組立状態で底面パネル１の一対の谷折り線１１に囲まれる領域が凹部４ｂに入り込む。係合突起４ａの外側折込み片４の基端側のエッジは鉛直部４ｅによって画定される。係合突起４ａは略矩形状である。係合突起４ａの下縁の上下方向位置は、外側折込み片４及び第１側面パネル２の連接部分の最下位置と等しい。これにより、当該箱用シートは、箱体の組立状態で、一対の第１側面パネル２の下縁の高さ位置と係合突起４ａの下縁の高さ位置とを等しくすることができる。
【００２５】
（折返しパネル）
折返しパネル５は、第１側面パネル２の上縁に連接され、組立時に第１側面パネル２の内側に底面パネル１と平行に折り込まれる接続部１６と、接続部１６の先端縁に連接され、組立時に第１側面パネル２の内面側に重ねられる補強部１７とを有する。折返しパネル５には、上述の挿入片７を挿入可能な係止孔５ａが形成される。係止孔５ａは、接続部１６の幅方向両外側に各１つ設けられている。また、接続部１６の幅方向中央部には、段積み用の開口５ｂが設けられている。開口５ｂは、複数の当該箱用シートを組み立ててなる複数の箱体を段積みする場合に、上側に積み上げられる箱体の底面パネル１に形成される上述の突片１ｄを挿入可能に構成されている。
【００２６】
接続部１６及び補強部１７は、それぞれ略矩形状である。接続部１６の延出方向長さは、例えばシート厚さ以上、かつシート厚さの２倍以下程度とすることができる。補強部１７の延出方向長さは第１側面パネル２の延出方向長さ以下である。また、第１側面パネル２の延出方向長さと補強部１７の延出方向長さの差は、第１側面パネル２の延出方向長さと第２側面パネル３の延出方向長さとの差より小さい。これにより、箱体の組立状態で補強部１７の下縁を傾斜領域Ｐの下端以上かつ底面パネル１の底上げ領域以下に保ちやすく、補強部１７によって箱体の座屈強度を高めやすい。
【００２７】
（内側折込み片）
内側折込み片８は略矩形状である。内側折込み片８は、組立状態で外側折込み片４の内面側に折り重ねられる。内側折込み片８の下縁（シートの展開状態で外側折込み片４と反対側に位置する側縁）には、底面パネル１に形成されるスリット１３に挿入される係合突起８ａが形成されている。内側折込み片８の下縁には、内側折込み片８が外側折込み片４の内面側に重ね合わされた状態で外側折込み片４の凹部４ｂと重なり合う（厚さ方向視で外縁が一致する）凹部８ｂが形成されている。つまり、内側折込み片８の下縁は、折返しパネル５との連接部から延出方向先端側に向けて上方に傾斜する傾斜部８ｃ、傾斜部８ｃから延出方向先端側に延びる水平部８ｄ、水平部８ｄから鉛直下方に延びる鉛直部８ｅを有する。係合突起８ａの内側折込み片８の基端側のエッジは鉛直部８ｅによって画定される。係合突起８ａは略矩形状である。組立状態における係合突起８ａの下縁の上下方向位置は、外側折込み片４及び第１側面パネル２の連接部分の最下位置と等しい。
【００２８】
（フランジ）
フランジ６は、第２側面パネル３の上縁に連接されている。フランジ６は、組立状態で内側に折り込まれ、底面パネル１と平行に保持される。フランジ６は、組立状態で外側折込み片４及び内側折込み片８の上縁を上側から支持する。
【００２９】
（挿入片）
挿入片７は、フランジ６の延出方向先端側の側縁から延出する。挿入片７は、組立状態で折返しパネル５に形成される係止孔５ａに挿入され、これによりフランジ６を底面パネル１と平行方向に保持する。
【００３０】
当該箱用シートを箱体に組み立てる手順について説明する。まず、一対の谷折り線１１を谷折りする。次に、一対の折返しパネル５を一対の第１側面パネル２の内面側に折り重ねると同時に内側折込み片８を外側折込み片４の内側に重ねる。続いて、折り重ねられた一対の第１側面パネル２及び一対の折返しパネル５を底面パネル１に対して垂直に立ち上げ、係合突起４ａ，８ａを底面パネル１のスリット１３に挿入する。さらに、一対の第２側面パネル３を底面パネル１に対して垂直に立ち上げ、一対のフランジ６を内側に折り込んだうえ、４つの挿入片７を折返しパネル５に形成される４つの係止孔５ａに挿入する。これにより、図２の箱体２１が組み立てられる。
【００３１】
箱体２１は、図３に示すように、底面パネル１の傾斜領域Ｐの下端部と外側折込み片４及び内側折込み片８の係合突起４ａ，８ａの先端縁とによって部分的に設置面と当接する。当該箱用シートは、外側折込み片４及び内側折込み片８の傾斜部４ｃ，８ｃの下端の上下方向位置と係合突起４ａ，８ａの下端の上下方向位置とが等しいので、底面パネル１の一対の谷折り線１１間の領域を底上げしつつ、設置状態を安定的に保つことができる。
【００３２】
図４に示すように、底面パネル１のスリット１３と谷折り線１１との間隔をＤ１、谷折り線１１とこの谷折り線１１に隣接する第１側縁１ａとの間隔をＤ２、第１折込み片４の第１側面パネル２との境界から係合突起４ａまでの左右方向長さをＬとした場合、Ｄ１＜Ｌ＜Ｄ１＋Ｄ２であることが好ましい。このように、Ｄ１＜Ｌ＜Ｄ１＋Ｄ２であることによって、スリット１３に係合突起４ａを挿入した状態で、係合突起４ａの基端側（係合突起４ａが形成される外側折込み片４の基端側）のエッジをスリット１３の外側の端縁に係合させることができる。つまり、傾斜領域Ｐの下縁が設置面に当接した状態で底面パネル１には谷折り線１１の谷折りを解除する方向に力が働くが、係合突起４ａの基端側のエッジに係止されることで左右方向の移動が防止される。これにより、係合突起４ａとスリット１３との係合状態が安定的に維持されると共に、底面パネル１の底上げ状態が確実に保持される。
【００３３】
傾斜領域Ｐの傾斜角度は、谷折り線１１及びこの谷折り線１１に隣接する第１側面パネル２を左右方向に接続する線分Ａと、谷折り線１１及びこの谷折り線１１に隣接する第１側面パネル２の下縁を接続する線分Ｂと、第１側面パネル２とによって画定される直角三角形における線分Ａ，Ｂのなす角度と等しい。また、線分Ａの長さはＬ−Ｄ１と等しく、線分Ｂの長さはＤ２と等しい。そのため、傾斜領域Ｐの傾斜角度の大小は、Ｄ２／（Ｌ−Ｄ１）の大小に対応する。Ｄ２／（Ｌ−Ｄ１）の値の下限としては、１．１０が好ましく、１．１５がより好ましい。一方、Ｄ２／（Ｌ−Ｄ１）の値の上限としては、１．４０が好ましく、１．２５がより好ましい。上記値が上記下限に満たないと、傾斜領域Ｐの傾斜角度が不足することで底面パネル１の底上げ高さが不十分となり、十分な緩衝性が得られないおそれがある。逆に、上記値が上記上限を超えると、傾斜領域Ｐの傾斜角度が大きくなりすぎて、箱体２１の座屈強度が不十分となるおそれがある。
【００３４】
Ｄ２の下限としては、１．５ｃｍが好ましく、２．０ｃｍがより好ましい。一方、Ｄ２の上限としては、３．５ｃｍが好ましく、３．０ｃｍがより好ましい。Ｄ２が上記下限に満たないと、底面パネル１の底上げ高さが不十分となり、十分な緩衝性が得られないおそれがある。逆に、Ｄ２が上記上限を超えると、底面パネル１の底上げ高さが不必要に高くなるおそれがある。
【００３５】
＜利点＞
当該箱用シートは、底面パネル１が、一対の第１側縁１ａと平行、かつ一対の第２側縁１ｂの中心間を通る仮想直線を基準として左右対称に配される一対の谷折り線１１を有しており、底面パネル１及び一対の第２側面パネル３の境界に、一対の第１側縁１ａから第１側縁１ａに隣接する谷折り線１１に至る４つの切込み１２が形成されているので、底面パネル１の一対の谷折り線１１よりも外側領域を下方に傾斜させることで、底面パネル１の一対の谷折り線１１間の領域を底上げすることができる。また、当該箱用シートは、底面パネル１の一対の第２側縁１ｂの中央部に形成される一対のスリット１３に、４つの外側折込み片４及び４つの内側折込み片８に形成される係合突起４ａ，８ａを挿入することで、これらの係合突起４ａ，８ａが底面パネル１の底上げ領域の下方に突出し脚部として機能する。そのため、当該箱用シートは、底面パネル１の底上げ状態を安定的に維持することができるので、緩衝性に優れる。
【００３６】
当該箱用シートは、一対のフランジ６の左右一対の側縁から延出する４つの挿入片７を備え、一対の折返しパネル５に、これらの挿入片７を挿入可能な係止孔５ａが形成されることによって、フランジ６によって係合突起４ａ，８ａの浮き上がりを抑制することができるので、底面パネル１の底上げ状態をより確実に維持することができる。
【００３７】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００３８】
例えば当該箱用シートは、一対の第１側面パネル及び一対の第２側面パネルを四角筒状に組立可能である限り、必ずしも上述の折返しパネルや内側折込み片を有していなくてもよい。また、当該箱用シートは、必ずしも上述のフランジ及び挿入片を有していなくてもよい。当該箱用シートが上記フランジ及び挿入片を有しない場合、上記一対の折返しパネルには上記挿入片を挿入するための係止孔は形成されなくてもよい。
【００３９】
上記外側折込み片及び内側折込み片に形成される係合突起は、底面パネルのスリットに挿入可能である限り、その具体的構成は限定されるものではない。また、上記外側折込み片及び内側折込み片が上述の凹部を有する場合であっても、この凹部の形状は上記実施形態の構成に限定されるものではない。
【００４０】
上記底面パネルには、上記突片を画定する破断容易線は形成されていなくてもよい。またこの場合、上記折返しパネルには、段積み状態で他の箱用シートを組み立ててなる箱体の突片が挿入される開口は形成されていなくてもよい。
【産業上の利用可能性】
【００４１】
以上のように、本考案の箱用シートは、緩衝性に優れる箱体組立用シートとして適している。
【符号の説明】
【００４２】
１  底面パネル
１ａ  第１側縁
１ｂ  第２側縁
１ｃ  破断容易線
１ｄ  突片
１ｅ  開口
２  第１側面パネル
３  第２側面パネル
４  外側折込み片
４ａ，８ａ  係合突起
４ｂ，８ｂ  凹部
４ｃ，８ｃ  傾斜部
４ｄ，８ｄ  水平部
４ｅ，８ｅ  鉛直部
５  折返しパネル
５ａ  係止孔
５ｂ  開口
６  フランジ
７  挿入片
８  内側折込み片
１１  谷折り線
１２  切込み
１３  スリット
１６  接続部
１７  補強部
２１  箱体
Ｐ  傾斜領域
【図１】
0003216071.tif 000003
【図２】
0003216071.tif 000004
【図３】
0003216071.tif 000005
【図４】
0003216071.tif 000006